(57)【要約】【課題】  チャッキング状態においてディスクの挿入を良好に防止できると共に、小型化および薄型化を図ることが可能なディスク再生装置を提供すること。【解決手段】  ディスク１１を搬送すると共にこのディスク１１を再生することが可能なディスク再生装置１０であり、ディスク差込口１９と、搬送ローラ４０の高さ位置をディスク１１に接触する搬送位置とディスク１１から離れるチャッキング位置とに切り替え可能なローラアーム３０と、ローラアーム３０に対して回動可能に設けられ、ディスク差込口１９からのディスク１１の挿入を防ぐ挿入防止壁６３を備える挿入防止手段６０と、を備えている。さらに、挿入防止壁６３がディスク差込口１９を開放する搬送位置に対応する第１の位置と、挿入防止壁６３がディスク差込口１９を塞ぐチャッキング位置に対応する第２の位置とに挿入防止手段６０を回動させて切り替える位置切り替え手段１８，３０，６７を備えている。【選択図】  図７
2005267814.tif 000002
【特許請求の範囲】
【請求項１】
ディスクを搬送すると共にこのディスクを再生することが可能なディスク再生装置において、
上記ディスクが差し込まれるディスク差込口と、
搬送ローラを具備し、この搬送ローラの高さ位置を上記ディスクに接触する搬送位置と上記ディスクから離れるチャッキング位置とに切り替え可能であると共に、上記ディスク差込口側に設けられる軸受部を支点として回動するローラアームと、
上記ローラアームに対して回動可能に設けられていると共に、上記ディスク差込口からの上記ディスクの挿入を防ぐ挿入防止壁を備え、上記ディスク差込口から離間する側の上記搬送ローラ側を支点として回動する挿入防止手段と、
上記挿入防止壁が上記ディスク差込口を開放する上記搬送位置に対応する第１の位置と、上記挿入防止壁が上記ディスク差込口を塞ぐ上記チャッキング位置に対応する第２の位置とに上記挿入防止手段を回動させて切り替える位置切り替え手段と、
を具備することを特徴とするディスク再生装置。
【請求項２】
前記位置切り替え手段は、突起部と、前記ローラアームの回動に伴なって該突起部が衝突するシャーシ部材と、を具備することを特徴とする請求項１記載のディスク再生装置。
【請求項３】
前記ローラアームと前記挿入防止手段との間には、互いに離間する向きの付勢力を与える付勢手段が設けられていることを特徴とする請求項１または２記載のディスク再生装置。
【請求項４】
前記挿入防止手段は、前記ローラアームのうち前記ディスクが配置される側とは反対側に設けられるアーム部を有し、
このアーム部の前記ディスク差込口側には前記挿入防止壁が設けられると共に、該アーム部には貫通孔が形成されていて、
前記付勢手段はコイルバネであり、
前記ローラアームには、上記アーム部側に向かって突出し上記貫通孔に差し込まれると共に、前記コイルバネを取り付けるバネ取付部が設けられる、
ことを特徴とする請求項１から３のいずれか１項に記載のディスク再生装置。
【請求項５】
前記バネ取付部には、前記アーム部のうち前記ローラアームが配置される側とは反対側に抜け止め手段が取り付けられ、この抜け止め手段によって前記バネ取付部が前記貫通孔から抜けるのが防止されると共に、該抜け止め手段は前記バネ取付部に対する取付位置を前記ローラアームに接離する向きにおいて調整可能としていることを特徴とする請求項４記載のディスク再生装置。
【発明の詳細な説明】
【技術分野】
【０００１】
本発明は、ディスク再生装置に関する。
【背景技術】
【０００２】
ディスク再生装置の内部に既にディスクがチャッキングされ、再生等が為されている場合等において、ユーザが誤って、さらにディスクを挿入しよう、とすること（いわゆる２枚入れを行おうとすること）がある。ここで、再生中のディスクは高速回転しているため、さらにディスクが挿入される場合、ディスク再生装置が破損することがある。そこで、現状のディスク再生装置は、図１０および図１１に示すような、ディスクの２枚入れの防止を図る機構を備えている。図１０および図１１に示す構成では、ローラアーム１は、不図示のメインシャーシに存在する回転軸を中心として回動可能に設けられている。
【０００３】
このローラアーム１のうち、ディスクの差し込み側の先端部分には、挿入防止壁２が設けられている。挿入防止壁２は、ローラアーム１のプレート部１ａから手前側に向かって突出するアーム部３に設けられている。そのため、ローラアーム１の奥側が、不図示のメインシャーシに近接する側（下方側）に向かって回動すると、挿入防止壁２が、不図示のディスク差込口に差し掛かる。それにより、ディスクの２枚入れを防止可能となっている。
【０００４】
なお、かかるディスクの２枚入れを防止する構成を示す先行技術としては、特許文献１に開示されている技術内容がある。
【０００５】
【特許文献１】特開１１−８６３９９号公報（要約、段落番号００１１、図１および図２参照）
【発明の開示】
【発明が解決しようとする課題】
【０００６】
しかしながら、上述の図１０、図１１および特許文献１に開示されている構成では、ディスクの挿入角度を考慮して、挿入防止壁２を設ける必要がある。すなわち、ディスクの搬送状態においては、挿入防止壁２がディスク差込口に差し掛からないようにして、ディスクの搬送の邪魔にならないようにする必要がある。これと共に、ディスクのチャッキング状態においては、挿入防止壁２がディスク差込口に差し掛かるようにして、新たなディスクの挿入を阻害する必要がある。
【０００７】
かかる要求を満たすためには、ローラアーム１の回転角度を大きくする必要があると共に、ローラアーム１の搬送ローラ４の回転中心から挿入防止壁２までの距離（アーム部３の手前側に向かう長さ寸法）Ｌ２を大きくする必要がある。しかしながら、ローラアーム１の回転角度を大きく取ると、ディスク再生装置の薄型化が困難となってしまう。また、手前側に向かって突出するアーム部３の長さ寸法を大きく取ると、ディスク再生装置の小型化が困難となってしまう。
【０００８】
本発明は上記の事情にもとづきなされたもので、その目的とするところは、チャッキング状態においてディスクの挿入を良好に防止できると共に、小型化および薄型化を図ることが可能なディスク再生装置を提供しよう、とするものである。
【課題を解決するための手段】
【０００９】
上記課題を解決するために、本発明は、ディスクを搬送すると共にこのディスクを再生することが可能なディスク再生装置において、ディスクが差し込まれるディスク差込口と、搬送ローラを具備し、この搬送ローラの高さ位置をディスクに接触する搬送位置とディスクから離れるチャッキング位置とに切り替え可能であると共に、ディスク差込口側に設けられる軸受部を支点として回動するローラアームと、ローラアームに対して回動可能に設けられていると共に、ディスク差込口からのディスクの挿入を防ぐ挿入防止壁を備え、ディスク差込口から離間する側の搬送ローラ側を支点として回動する挿入防止手段と、挿入防止壁がディスク差込口を開放する搬送位置に対応する第１の位置と、挿入防止壁がディスク差込口を塞ぐチャッキング位置に対応する第２の位置とに挿入防止手段を回動させて切り替える位置切り替え手段と、を具備するものである。
【００１０】
また、他の発明は、上述の発明に加えて更に、位置切り替え手段は、突起部と、ローラアームの回動に伴なって該突起部が衝突するシャーシ部材と、を具備するものである。
【００１１】
さらに、他の発明は、上述の各発明に加えて更に、ローラアームと挿入防止手段との間には、互いに離間する向きの付勢力を与える付勢手段が設けられているものである。
【００１２】
また、他の発明は、上述の各発明に加えて更に、挿入防止手段は、ローラアームのうちディスクが配置される側とは反対側に設けられるアーム部を有し、このアーム部のディスク差込口側には挿入防止壁が設けられると共に、該アーム部には貫通孔が形成されていて、付勢手段はコイルバネであり、ローラアームには、アーム部側に向かって突出し貫通孔に差し込まれると共に、コイルバネを取り付けるバネ取付部が設けられる、こととしたものである。
【００１３】
さらに、他の発明は、上述の発明に加えて更に、バネ取付部には、アーム部のうちローラアームが配置される側とは反対側に抜け止め手段が取り付けられ、この抜け止め手段によってバネ取付部が貫通孔から抜けるのが防止されると共に、該抜け止め手段はバネ取付部に対する取付位置をローラアームに接離する向きにおいて調整可能としているものである。
【発明の効果】
【００１４】
本発明によると、ディスクのチャッキング状態において、さらにディスクが挿入されるのを良好に防止することができる。また、同時に、ディスク再生装置の小型化および薄型化を図ることが可能となる。
【発明を実施するための最良の形態】
【００１５】
以下、本発明の一実施の形態に係るディスク再生装置について、図１から図９に基づいて説明する。図１は、本発明のディスク再生装置１０の構成を示す分解斜視図である。このディスク再生装置１０は、ＣＤ（Compact Disc）およびＤＶＤ（Digital Versatile Disc）等といったディスク１１（図２等参照）を再生するものである。しかしながら、ディスク１１は、ＣＤ、ＤＶＤには限られず、ＣＤ−Ｒ、ＤＶＤ−Ｒ、ＤＶＤ−ＲＷ等の他の円盤形状を有する記録媒体でも良い。
【００１６】
また、以下の説明においては、ディスク１１として、直径が１２ｃｍの大径のディスクについて図示しながら説明する。なお、直径８ｃｍの小径のディスクは図示されないものの、該小径のディスクを使用しても大径のディスクと同様の作用効果が生じる。
【００１７】
また、以下の説明では、上側（上方側）とは、ディスク１１が水平状態となる向きにディスク再生装置１０を配置したときに、後述するターンテーブル９０からクランパ８１に向かう方向を指す（図９参照）。また、下側（下方側）とは、同じく、クランパ８１からターンテーブル９０に向かう方向（メインシャーシ１８側（図１、図４参照））を指す。さらに、奥側とは、ディスク１１がディスク再生装置１０の内部に搬入される際の該ディスク１１の進行方向側を指し、手前側とは、ディスク１１が搬出される側（ディスク差込口１９側）を指す。
【００１８】
同様に、下向きとは、ディスク１１が水平状態となる向きにディスク再生装置１０を配置したときに、クランパ８１からターンテーブル９０に向かう方向を指す。また、上向きとは、これと逆の方向を指す。
【００１９】
ディスク再生装置１０は、図１に示すように、アウターシャーシ部材１２と、ディスクガイド部材１３と、フローティング部材１４と、ローラ部材１５と、メカ基板１６と、スイッチ基板１７とを有している。フローティング部材１４は、シャーシ部材に対応するメインシャーシ１８を備えている。このメインシャーシ１８に、ディスクガイド部材１３、ローラ部材１５、メカ基板１６、および後述するクランプレバー８０等の各種部材が取り付けられる。
【００２０】
また、アウターシャーシ部材１２には、側壁２０ａ，２０ｂが取り付けられる。また、アウターシャーシ部材１２の四隅には、ダンパ２２を支持するダンパ支持部２１が、上下方向に立設する状態で設けられている。ダンパ支持部２１には、孔２１ａが設けられていて、アウターシャーシ部材１２の外側から孔２１ａに、ダンパ２２を差し込むことが可能となっている。
【００２１】
アウターシャーシ部材１２は、側壁２０ａ，２０ｂ、ダンパ２２及びバネ２３を介してフローティング部材１４を支持している。本実施の形態では、フローティング部材１４の４隅の近傍に、夫々１つずつ、計４つのダンパ２２が設けられている。また、ダンパ２２よりも内部寄りの部位に、計４つのバネ２３が設けられている。また、ダンパ２２には、差込穴２２ａが設けられていて、フローティング部材１４の支持軸２４ａが差し込まれる。支持軸２４ａは、フローティング部材１４側に存するピン状部材であり、メインシャーシ１８から上方に向かい立設されている立設部２４に設けられている。また、支持軸２４ａは、立設部２４から側方に向かって突出している。かかるダンパ２２の弾性変形が、該バネ２３の弾性力に対する抵抗となる。
【００２２】
また、バネ２３は、その一端側がアウターシャーシ部材１２のバネ係止部２５に掛け止めされると共に、その他端側がディスクガイド部材１３またはフローティング部材１４に存在するバネ係止部２６に掛け止めされる。それにより、フローティング部材１４は、アウターシャーシ部材１２に対してフローティング状態で支持可能となる。
【００２３】
なお、不図示のフローティング状態を切り替える機構によって、アウターシャーシ部材１２に対するフローティング部材１４のフローティング状態、および固定状態が切替可能となっている。また、アウターシャーシ部材１２に対してフローティング部材１４および必要に応じてケース等の他の部材が取り付けられることにより、ディスク１１を挿入するディスク差込口１９が形成される。
【００２４】
フローティング部材１４には、手前側（ディスク差込口１９側）の上方を覆うように、例えばネジ等の固定手段によってディスクガイド部材１３が取り付けられる。ディスクガイド部材１３は、ディスク１１のディスク再生装置１０の内部への搬入をガイドする。なお、ディスクガイド部材１３は、大径のディスク１１と、小径のディスク１１とが進行する向きを、切り分けることを可能としている。
【００２５】
ここで、フローティング部材１４には、ローラ部材１５が取り付けられている。ローラ部材１５は、図１に示すように、フローティング部材１４のうち、手前側に取り付けられる。ローラ部材１５は、ローラアーム３０と、後述する搬送ローラ４０とを具備している。このうち、ローラアーム３０は、例えば樹脂を材質として形成されている。また、図１および図２に示すように、ローラアーム３０は、側方支持部３１と、プレート部３２と、を有している。側方支持部３１は、ローラアーム３０の長手方向の両端側に設けられている。図２および図３に示すように、側方支持部３１の手前側の部位には、軸受部３３ａが設けられている。軸受部３３ａは、その外観が略Ｃ字形状を為すように設けられていて、その内部に回転軸３４を差し込むことを可能としている。
【００２６】
なお、回転軸３４は、メインシャーシ１８の手前側の立設部２４の内壁側から、ローラアーム３０の長手方向に沿って突出している（図２、図３参照）。そのため、ローラ部材１５が回動しても、メインシャーシ１８に対する軸受部３３ａの高さ位置は、変化しない。
【００２７】
また、側方支持部３１の奥側の部位には、ローラ軸受部３３ｂが設けられていて、このローラ軸受部３３ｂによって、ローラシャフト４１が回転自在に軸支されている。そのため、軸受部３３ａを中心としてローラアーム３０が回動すると、ローラシャフト４１が、メインシャーシ１８に対して接離する上下方向に移動する。なお、ローラシャフト４１の図２において右側の端部には、側方支持部３１よりも側壁２０ａ側に突出する状態で、ローラギヤ４２が取り付けられている。ローラギヤ４２は、ローラアーム３０の回動に伴なって、図５に示す従動ギヤ４３に対して噛み合い、または噛み合いが解かれたりする。
【００２８】
なお、従動ギヤ４３および従動ギヤ４４には、不図示のローディングモータからの駆動力が伝達される。それにより、従動ギヤ４３とローラギヤ４２とが噛み合っている場合には、ローラシャフト４１を回転可能となる。
【００２９】
また、ローラシャフト４１には、ローラギヤ４２よりも側壁２０ａ側に向かって突出する摺動軸４５が設けられている。摺動軸４５は、図６に示すように、スライダ７０ａの傾斜壁７１（図６等参照）と摺動する部分である。それにより、スライダ７０ａが前方へスライドして、傾斜壁７１が前方に移動すると、該傾斜壁７１と摺動する摺動軸４５が下方に押される。それにより、ローラアーム３０の回動（押し下げ）を可能としている。
【００３０】
図２、図３および図６に示すように、ローラシャフト４１には、ローラカバー４６がその外周を覆うように取り付けられている。ローラカバー４６は、例えばゴムや樹脂等のように、ディスク１１の下面に接触しても損傷を生じさせない柔らかめの材質であって、ディスク１１の下面に当接した場合に摩擦力を良好に与える材質から構成されている。また、ローラカバー４６は、ローラシャフト４１の長手方向の中央部分（以下、中央部４１ａとする。）には取り付けられておらず、該ローラシャフト４１の一端側および他端側にそれぞれ取り付けられている。
【００３１】
なお、ローラシャフト４１の長手方向の中央部分には、後述する挿入防止プレート６０の軸受部６１が回動自在に取り付けられている。また、ローラシャフト４１とローラカバー４６とで、搬送ローラ４０を構成している。
【００３２】
また、図２に示すように、プレート部３２は、ローラシャフト４１の長手方向と同一方向を長手とする板状部材である。このプレート部３２のうち、長手方向の中央部分（ディスク再生装置１０の幅方向の中央部分）には、手前側に向かって突出するように、突出部３５が設けられている。
【００３３】
図７は、図２におけるプレート部３２の長手方向の中央部付近のＡ−Ａ線に沿う断面図である。図７に示すように、突出部３５のプレート部３２における付け根には、下方に向かうように円筒状のバネ取付部３６が突出している。バネ取付部３６は、後述する貫通孔６６に挿入される。また、バネ取付部３６は、後述する貫通孔６６に十分に挿通するだけの長さ寸法を有している。また、バネ取付部３６の外周側には、付勢手段としてのコイルバネ５０を位置させることができる。それにより、コイルバネ５０をプレート部３２の下面と後述する対向部６４の上面との間に位置させて、該コイルバネ５０を保持可能としている。
【００３４】
また、コイルバネ５０は、プレート部３２と後述する挿入防止プレート６０とが互いに離れる方向に向かう付勢力を与える。このコイルバネ５０の直径は、後述する貫通孔６６の直径よりも大きい。そのため、コイルバネ５０は、貫通孔６６には挿入されず、該貫通孔６６の周縁に当接している。また、プレート部３２の下面のうち、コイルバネ５０の上端が当接する部分は、該下面の他の部分よりも窪んでいる。
【００３５】
また、バネ取付部３６には、下方から上方に向かうように、ネジ孔３６ａが形成されている。このネジ孔３６ａには、抜け止め手段としてのビス５１が捻じ込まれる。ビス５１は、その頭部５１ａの直径が貫通孔６６の直径よりも大きくなるように設けられている。かかるビス５１が捻じ込まれ、頭部５１ａが対向部６４の下面に当接することにより、バネ取付部３６が貫通孔６６から抜けるのが防止される。すなわち、ローラアーム３０と挿入防止プレート６０との間が開放する最大角度が定められる。
【００３６】
また、図７に示すように、プレート部３２の下方には、挿入防止手段としての挿入防止プレート６０が配置されている。挿入防止プレート６０は、軸受部６１と、アーム部６２と、挿入防止壁６３と、を有している。そのうち、軸受部６１は、挿入防止プレート６０のうち奥側に配置される部分であると共に、該ローラシャフト４１に取り付けられる部分である。この軸受部６１は、ローラシャフト４１を嵌め込む軸孔６１ａを有していると共に、該ローラシャフト４１を外部から嵌め込むための開口部６１ｂを有している。そのため、開口部６１ｂから軸孔６１ａに向けてローラシャフト４１を嵌め込むことで、挿入防止プレート６０がローラシャフト４１へ取り付けられる。また、軸受部６１のローラシャフト４１に沿う長さは、上述した中央部４１ａの長手方向の長さよりも短い。
【００３７】
また、アーム部６２は、軸受部６１から手前側に向かい突出して設けられている。このアーム部６２は、対向部６４と、手前側突出部６５とを有している。このうち、対向部６４は、軸受部６１から手前側に向かって突出していると共に、プレート部３２と対向する状態で設けられている。そのため、挿入防止プレート６０が軸受部６１（ローラシャフト４１）を中心として回動すると、対向部６４は、プレート部３２に対して接離する。また、対向部６４の手前側には、該対向部６４を貫通する貫通孔６６が設けられている。この貫通孔６６には、上述のバネ取付部３６が挿通される。
【００３８】
なお、メインシャーシ１８の手前側の端部は、貫通孔６６よりも奥側に位置している。しかも、挿入防止プレート６０が第１の位置（図７（ａ）に示す位置）にあって傾斜している場合でも、バネ取付部３６に捻じ込まれるビス５１の頭部５１ａと、メインシャーシ１８とが干渉しない構成となっている。
【００３９】
また、対向部６４の貫通孔６６よりも奥側には、突起部６７が設けられている。突起部６７は、対向部６４の下面から下方に向かって突出形成されている。突起部６７は、メインシャーシ１８の上面と対向する部位であって、ローラアーム３０の回動によって該メインシャーシ１８と衝突可能な部位に設けられている。
【００４０】
なお、突起部６７と、上述したメインシャーシ１８、および上述したローラアーム３０によって、位置切り替え手段が構成されている。
【００４１】
図２および図７に示すように、対向部６４よりも手前側には、手前側突出部６５が設けられている。手前側突出部６５は、上述のアーム部６２のうち、突出部３５からさらに手前側に向かう部分である。図７に示すように、手前側突出部６５は、対向部６４よりも厚さ方向の寸法が大きく設けられている。また、図２に示すように、手前側突出部６５は、対向部６４よりも幅方向の寸法が大きく設けられている。
【００４２】
なお、図７に示すように、手前側突出部６５の厚み方向の寸法は、奥側から手前側に向かうにつれて、薄くなっている。すなわち、手前側突出部６５の図７における左下側の隅角部には、斜めに切り欠かれた切り欠き部６５ａが設けられている。かかる切り欠き部６５ａの存在により、ディスク１１の搬送状態において、挿入防止プレート６０と不図示のケースとが干渉するのが防止される。
【００４３】
手前側突出部６５の手前側の先端部分には、挿入防止壁６３が上方に向かうように設けられている。挿入防止壁６３がディスク１１のチャッキング時に第２の位置（図７（ｂ）、図８（ｂ）参照）に位置すると、該挿入防止壁６３がディスク差込口１９を塞ぐだけの高さ寸法を有している。それにより、ディスク１１のチャッキング時には、ディスク差込口１９からのディスク１１の差し込みを防ぐことを可能としている。
【００４４】
なお、挿入防止壁６３がディスク差込口１９を開放する高さ位置（図７（ａ）、図８（ａ）参照）が、第１の位置に対応する。この第１の位置においては、挿入防止壁６３は下方に位置していて、ディスク１１の搬送状態に対応する。また、挿入防止壁６３がディスク差込口１９を塞ぐ高さ位置（図７（ｂ）、図８（ｂ）参照）が、第２の位置に対応する。この第２の位置においては、挿入防止壁６３は上方に位置していて、ディスク１１のチャッキング状態に対応する。
【００４５】
ここで、図８における搬送ローラ４０の回転中心から挿入防止壁６３の手前側の先端（手前側突出部６５の手前側の先端）までの距離をＬ１、図１１における従来の搬送ローラの回転中心から挿入防止壁２の手前側の先端までの距離をＬ２とすると、Ｌ２＞Ｌ１となっている。すなわち、従来のアーム部３の長さ寸法よりも、本実施の形態のアーム部６２の長さ寸法の方が、短く設けられている。
【００４６】
また、図２に示すように、ローラシャフト４１の両側方には、スライダ７０ａ，７０ｂが設けられている。このうち、図２において右側のスライダ７０ａは、不図示のローディングモータの駆動により、奥側と手前側との間を移動可能としている。なお、この移動の様子は、図８（ａ），（ｂ）に示される通りである。また、スライダ７０ａ，７０ｂは、上下方向に沿うように立設されている。
【００４７】
スライダ７０ａのうち、ローラシャフト４１側の壁面には、傾斜壁７１が設けられている。傾斜壁７１は、メインシャーシ１８と対向していると共に、手前側から奥側に向かうにつれて、下方に向かうように傾斜している。かかる傾斜壁７１には、摺動軸４５が当接する。それにより、スライダ７０が手前側に移動すると、摺動軸４５を介してローラシャフト４１（搬送ローラ４０）が下方に押される。それにより、軸受部３３ａ（回転軸３４）を支点として、ローラ部材１５が回動し、搬送ローラ４０が下降する。
【００４８】
また、図８に示すように、スライダ７０の奥側には、カム溝７２が形成されている。カム溝７２の手前側には、平行部分７２ａが設けられていると共に、該平行部分よりも奥側には、手前側から奥側に向かうにつれて下方に降下する傾斜部分７２ｂが設けられている。このカム溝７２には、後述する突出ピン８４が差し込まれる。
【００４９】
また、フローティング部材１４には、クランプレバー８０が設けられている。このクランプレバー８０には、ディスク１１をターンテーブル９０に向けて圧接するクランパ８１が、回動自在に取り付けられている。また、クランプレバー８０は、フローティング部材１４の奥側に設けられている軸受８２を中心として、回動可能に設けられている。なお、図８に示すように、クランプレバー８０には、板バネ８３が取り付けられていて、該板バネ８３には、カム溝７２に差し込まれる突出ピン８４が設けられている。そのため、スライダ７０が手前側に移動すると、突出ピン８４がカム溝７２により押され、クランプレバー８０が搬送状態（図８（ａ）参照）から、ディスク１１のチャッキング状態（図８（ｂ）参照）へと移行する。
【００５０】
なお、図９に示すように、フローティング部材１４のうち、クランパ８１と対向する部位には、ターンテーブル９０が設けられている。ターンテーブル９０は、スピンドルモータ９１の回転軸９１ａに取り付けられていて、該スピンドルモータ９１の回転に伴って回転する。
【００５１】
以上のような構成を有するディスク再生装置１０の作用（動作）について、以下に説明する。
【００５２】
ディスク１１をディスク再生装置１０の内部に搬入する場合、最初に図８（ａ）に示すように、搬送ローラ４０が上方に位置する搬送状態となっている。この場合、図７（ａ）に示すように、挿入防止プレート６０は、コイルバネ５０から付勢力を受けて、軸受部６１を支点としてプレート部３２の下面から離れる方向に付勢された第１の位置に位置している。すなわち、挿入防止プレート６０は、ローラアーム３０よりも角度θだけ下方に位置している。なお、この場合、挿入防止壁６３の上端は、ローラアーム３０よりも距離Ｓだけ下方に位置していて、挿入防止壁６３がディスク１１の挿入の妨げとなることがない。
【００５３】
この状態において、ディスク１１がディスク再生装置１０の内部を進行すると、いずれディスク１１の奥側の先端部分が、不図示のトリガに当接する。それにより、不図示のトリガが回動され、その回動に伴なって、スライダ７０のギヤ部分（不図示）が、ローディングモータの伝達ギヤと噛み合う。それにより、スライダ７０の手前側に向かうスライドが開始される。
【００５４】
かかるスライドが開始されると、傾斜壁７１が摺動軸４５に衝突し、さらにスライダ７０がスライドを継続すると、ローラ部材１５（ローラアーム３０）が軸受部３３ａ（回転軸３４）を支点として、図７（ａ）および図８（ａ）において時計回りに回動する。また、スライダ７０が手前側に向かってスライドすると、突出ピン８４がカム溝７２によって下方に押される。
【００５５】
それにより、クランプレバー８０も上方から下方に向かって回動され、図８（ｂ）に示すように、クランパ８１とターンテーブル９０との間でディスク１１を挟持する。なお、この挟持状態では、スピンドルモータ９１を回転させると、ディスク１１を回転させることができ、該ディスク１１の再生が可能となる。
【００５６】
ここで、ローラアーム３０が軸受部３３ａ（回転軸３４）を支点として、図７（ａ）および図８（ａ）において時計回りに回動すると、該ローラアーム３０のうち奥側（搬送ローラ４０側）が、下方に向かって降下する。そして、ローラアーム３０の奥側が所定だけ降下すると、突起部６７がメインシャーシ１８の上面と衝突する。
【００５７】
かかる衝突が生じた後でも、ローラアーム３０の時計回りの回動が継続される場合、ローラアーム３０の奥側（搬送ローラ４０側）は、さらに下降し、それに伴ない突起部６７がメインシャーシ１８によって押される。すると、挿入防止プレート６０は、コイルバネ５０の付勢力に抗しながら、軸受部６１（図２、図７参照）を中心としてプレート部３２側に徐々に近接するように回動する。それにより、プレート部３２の下面と挿入防止プレート６０の上面との間に存在していた隙間が徐々に無くなる。この場合、挿入防止プレート６０の回転速度は、ローラアーム３０の回転速度よりも増速される状態となる。
【００５８】
そして、ディスク１１のターンテーブル９０に対するチャッキングが完了すると、プレート部３２の下面に対して、挿入防止プレート６０の上面が密着する状態となる（図７（ｂ）参照）。このとき、挿入防止プレート６０は、第２の位置に位置する状態となる。
【００５９】
すなわち、図７（ａ）に示すように、挿入防止プレート６０が第１の位置に位置する状態においては、挿入防止壁６３の上端部分は、搬送ローラ４０の上面よりも距離Ｓだけ下方に位置していて、ディスク１１の挿入を妨げることがない。このとき、挿入防止プレート６０は、ローラアーム３０よりも角度θだけ下方に向かう状態で位置している。しかしながら、ディスク１１のチャッキング動作が進行し、挿入防止プレート６０が図７（ｂ）に示す第２の位置に向かうにつれて、挿入防止プレート６０は、軸受部６１を支点としてプレート部３２に対して近接する向きに回動する。それにより、挿入防止壁６３の上端部分は、ローラアーム３０の回動による上方への移動よりも、さらに上方に大きく移動する。
【００６０】
かかる挿入防止プレート６０の回動の進行により、ディスク１１のチャッキングが完了すると、図７（ａ）の角度θは略０になるか、または図７（ａ）の状態における角度θよりも十分に小さくなる（図７（ｂ）参照）。また、チャッキングが完了すると、挿入防止壁６３は、ディスク１１の挿入を防ぐ状態となる。
【００６１】
このような構成のディスク再生装置１０によれば、ディスク１１が搬送状態にある場合、挿入防止プレート６０はローラアーム３０に対して、別個に回動可能となっている。そのため、ローラアーム３０の搬送状態とチャッキング状態の切り替えによる回動に加えて、挿入防止プレート６０の回動を別個に付加させることができる。それにより、挿入防止プレート６０の回転速度は、ローラアーム３０の回転速度よりも速めることができる。また、挿入防止プレート６０がメインシャーシ１８等に対して回動する角度範囲を、大きくとることができる。
【００６２】
このように、挿入防止プレート６０が回動する角度範囲を大きくとることができるため、挿入防止プレート６０のアーム部６２（手前側突出部６５）の長さ寸法を小さくしても、挿入防止壁６３の上下方向における移動距離を十分確保することができる。すなわち、ディスク１１のチャッキング状態からディスク１１の搬送状態に切り替えても、挿入防止プレート６０を十分に回動させることができるため、挿入防止壁６３を十分に下方に位置させることができ、該挿入防止壁６３の上端がディスク１１の搬送の妨げとならない。
【００６３】
それによって、ローラアーム３０に対して挿入防止壁６３が一体的に設けられている場合と比較して、ローラアーム３０の回動角度を大きくしなくても済み、また搬送ローラ４０の回転中心から挿入防止壁６３の手前側の先端（手前側突出部６５の手前側の先端）までの距離Ｌ１を長くしなくても済む。このため、ディスク再生装置１０の薄型化および小型化を図ることが可能となる。
【００６４】
また、挿入防止プレート６０には突起部６７が設けられていて、この突起部６７がメインシャーシ１８の上面に衝突する構成となっている。このため、搬送状態にあるローラアーム３０が軸受部３３ａを中心として図７（ａ）、図８（ａ）において時計回りに回動すると、突起部６７がメインシャーシ１８の上面に衝突する。そして、コイルバネ５０の付勢力に抗しながら挿入防止壁６３を上方に向けて大きく回動させることが可能となる。それにより、挿入防止壁６３が下方に位置していても、該挿入防止壁６３を確実に回動させることができ、ディスク差込口１９を確実に塞ぐことができる。
【００６５】
また、挿入防止プレート６０は、奥側に位置するローラシャフト４１（軸受部６１）を支点として回動する。このため、本実施の形態の挿入防止プレート６０（アーム部６２）の回動支点は、従来のアーム部３（挿入防止壁２）の回動支点（ローラアーム１の回動支点）よりも奥側に位置しており、手前側突出部６５の長さ寸法を一層小さくすることができる。それによって、ディスク再生装置１０の小型化を一層図ることが可能となる。また、ディスク再生装置１０の内部において、搬送ローラ４０を従来よりも手前側に位置させることもでき、その場合には、より設計の自由度を向上させることができる。また、ディスク再生装置１０の内部において、搬送ローラ４０の回動によって占められる空間部分を低減させることができる。
【００６６】
また、ローラアーム３０は、手前側に位置する軸受部３３ａ（回転軸３４）を支点として回動する。このため、ローラアーム３０が回転すると該ローラアーム３０の奥側の搬送ローラ４０側も上下方向に移動させることができ、必然的に挿入防止プレート６０（アーム部６２）の奥側を、上下方向に移動させることができると共に、手前側に位置する挿入防止壁６３を、奥側に位置する搬送ローラ４０側とは逆方向に移動させることができる。それにより、ローラアーム３０に対する挿入防止プレート６０の回転角度を小さくすることができる。
【００６７】
さらに、プレート部３２の下面と挿入防止プレート６０の上面との間には、コイルバネ５０が設けられている。そのため、ディスク１１の搬送状態においては、挿入防止プレート６０を下方に移動させて、挿入防止壁６３がディスク差込口１９に差し掛かるのを良好に防止することができ、ディスク１１の搬送の妨げとなるのを防ぐことができる。すなわち、コイルバネ５０を設けることにより、ディスク１１の搬送時には、ローラアーム３０に対して、角度θ（図７（ａ）参照）だけ下方に位置させる状態を保持することができる。そのため、搬送ローラ４０の上面（ディスク１１の記録面）と、挿入防止壁６３の上端との間には、クリアランスとして距離Ｓを確保することができる。
【００６８】
また、挿入防止プレート６０のアーム部６２には、貫通孔６６が形成されていて、該貫通孔６６にはコイルバネ５０を取り付けるバネ取付部３６が差し込まれる。それによって、プレート部３２と対向部６４との間でコイルバネ５０を良好に保持することが可能となる。
【００６９】
また、バネ取付部３６のネジ孔３６ａには、頭部５１ａを備えるビス５１が捻じ込まれる。そのため、バネ取付部３６が貫通孔６６から抜けるのが防止される。また、ネジ孔３６ａに対するビス５１の捻じ込みを調整することにより、挿入防止プレート６０が回動する角度範囲を調整可能となる。このため、ローラアーム３０および搬送ローラ４０等に組み付け誤差が生じても、ビス５１の捻じ込みを調整すれば、かかる誤差を吸収することができ、挿入防止壁６３の上端がディスク１１の搬送の妨げとなるのを防ぐことができる。
【００７０】
以上、本発明の一実施の形態について説明したが、本発明はこれ以外にも種々変形可能となっている。以下、それについて述べる。
【００７１】
上述の実施の形態では、プレート部３２と挿入防止プレート６０との間に、付勢手段としてコイルバネ５０を配置している。しかしながら、付勢手段はコイルバネ５０に限られるものではなく、例えば板バネを用いても良い。また、ローラアーム３０に対して挿入防止プレート６０を直接回動可能に取り付けて、該ローラアーム３０と挿入防止プレート６０とがヒンジ状の構成となるようにしても良い。
【００７２】
なお、上述の実施の形態の場合、またはローラアーム３０と挿入防止プレート６０とでヒンジ状に構成される場合、プレート部３２と対向部６４の間に板バネ等の付勢手段を配置する代わりに、板バネ等の付勢手段を省略して、挿入防止プレート６０が自重により下方に回動する構成を採用しても良い。
【００７３】
また、上述のヒンジ状の構成を採用する場合、挿入防止プレート６０とローラアーム３０との間に、例えばギヤ、カム等の連動機構を設け、かかる連動機構の存在により、ローラアーム３０の回動に挿入防止プレート６０の回動を連動させても良い。
【００７４】
また、上述の実施の形態では、挿入防止手段として挿入防止プレート６０を用いた場合について説明している。しかしながら、挿入防止手段としては、折り曲げ形成された棒状部材等を用いる等、他の構成を採用することも可能である。
【００７５】
さらに、上述の実施の形態では、対向部６４の下面側には、突起部６７が設けられている。しかしながら、かかる突起部６７を省略する構成を採用しても良い。また、メインシャーシ１８側に突起部６７に対応する突起状の部分を設けるようにしても良い。
【００７６】
また、上述の実施の形態では、貫通孔６６にバネ取付部３６を挿通させると共に、バネ取付部３６の外周側にコイルバネ５０を位置させている。しかしながら、例えばローラシャフト４１にカラー（スペーサ）を挿通させると共に、該カラーの外周面に弦巻きバネを位置させる状態とし、ローラアーム３０の下面側に弦巻きバネの一端側、対向部６４の上面側に弦巻きバネの他端側を係止させる。そして、この弦巻きバネによって、ローラアーム３０と挿入防止プレート６０とが互いに離間する方向に付勢力が与えられる構成を採用して、バネ取付部３６および貫通孔６６を設けるのを省略する構成を採用しても良い。
【００７７】
さらに、上述の実施の形態では、抜け止め手段としてビス５１を用いた場合について説明している。しかしながら、抜け止め手段はビス５１には限られず、例えばバネ取付部３６の下方にワッシャを取り付けて、該ワッシャを抜け止め手段として用いても良い。この場合、バネ取付部３６に対してワッシャの取付位置を調整可能な構成を採用すれば、ローラアーム３０に対して挿入防止プレート６０が回動する角度範囲を調整可能となる。
【００７８】
また、上述の実施の形態では、挿入防止プレート６０が、搬送ローラ４０（ローラシャフト４１）を回動支点として回動自在に設けられている。しかしながら、挿入防止プレート６０の回動支点は、搬送ローラ４０（ローラシャフト４１）に設けられる構成には限られず、例えば搬送ローラ４０と対向する下方側に、ローラアーム３０から延伸する回動支持部を設け、この回動支持部によって、挿入防止プレート６０を回動自在に軸支する構成としても良い。すなわち、ローラアーム３０のうち、ディスク差込口１９の手前側に位置する軸受部３３ａよりも、ディスク差込口１９の奥側に、挿入防止プレート６０の回動支点を設けるようにしても良い。なお、この場合も、挿入防止手段に対応する挿入防止プレート６０が、搬送ローラ４０側を支点として回動する、という意義に含まれる。
【産業上の利用可能性】
【００７９】
本発明のディスク再生装置は、音響機器及び映像再生機器の分野において利用することができる。
【図面の簡単な説明】
【００８０】
【図１】本発明の一実施の形態に係るディスク再生装置の構成を示す分解斜視図である。
【図２】図１のディスク再生装置において、挿入防止プレートを中心とするローラ部材の構成を示す平面図である。
【図３】図１のディスク再生装置において、挿入防止プレートを中心とするローラ部材の構成を示す背面図である。
【図４】図１のディスク再生装置において、ローラアームの回動の様子を示す部分的な側面図であり、（ａ）はディスクを搬送する状態、（ｂ）はディスクのチャッキング状態を示す図である。
【図５】図１のディスク再生装置において、ローラギヤおよび従動ギヤの噛み合いの状態を示す側面図であり、（ａ）はディスクの搬送状態を示し、（ｂ）は摺動軸が傾斜壁に当接した状態を示し、（ｃ）はローラ部材が回動し始めた状態を示し、（ｄ）はディスクのチャッキング状態においてローラギヤと従動ギヤとの間の噛み合いが外れた状態を示す。
【図６】図１のディスク再生装置において、スライダの傾斜壁と摺動軸との関係を示す部分的な分解斜視図である。
【図７】図１のディスク再生装置において、ローラアームと挿入防止プレートの位置関係を示す図２のＡ−Ａ線に沿う側断面図であり、（ａ）はディスクの搬送状態を示し、（ｂ）はディスクのチャッキング状態を示す。
【図８】図１のディスク再生装置において、挿入防止プレート、ローラアーム、スライダおよびクランプレバーの位置関係を示す側面図であり、（ａ）はディスクの搬送状態を示し、（ｂ）はディスクのチャッキング状態を示す。
【図９】図１のディスク再生装置において、クランパ、ターンテーブルおよびスピンドルモータの構成を示す側断面図である。
【図１０】従来のディスク再生装置において、挿入防止プレートを中心とするローラ部材の構成を示す平面図である。
【図１１】従来のディスク再生装置において、挿入防止プレート、ローラアーム、スライダおよびクランプレバーの位置関係を示す側面図であり、（ａ）はディスクの搬送状態を示し、（ｂ）はディスクのチャッキング状態を示す。
【符号の説明】
【００８１】
１０…ディスク再生装置
１１…ディスク
１５…ローラ部材
１８…メインシャーシ（シャーシ部材に対応、位置切り替え手段の一部）
１９…ディスク差込口
２０ａ，２０ｂ…側壁
３０…ローラアーム（位置切り替え手段の一部）
３２…プレート部
３３ａ…軸受部
３５…突出部
３６…バネ取付部
４０…搬送ローラ
４１…ローラシャフト
５０…コイルバネ（付勢手段に対応）
５１…ビス（抜け止め手段に対応）
６０…挿入防止プレート（挿入防止手段に対応）
６１…軸受部
６２…アーム部
６３…挿入防止壁
６４…対向部
６５…手前側突出部
６６…貫通孔
６７…突起部（位置切り替え手段の一部）
７０…スライダ
８０…クランプアーム
９０…ターンテーブル
【図１】
2005267814.tif 000003
【図２】
2005267814.tif 000004
【図３】
2005267814.tif 000005
【図４】
2005267814.tif 000006
【図５】
2005267814.tif 000007
【図６】
2005267814.tif 000008
【図７】
2005267814.tif 000009
【図８】
2005267814.tif 000010
【図９】
2005267814.tif 000011
【図１０】
2005267814.tif 000012
【図１１】
2005267814.tif 000013